(57)【特許請求の範囲】
【請求項１】
可搬記録媒体から被写体の所定の部位の第一のＸ線撮影画像を含むデータを読み取るデータ読取手段と、
前記第一のＸ線撮影画像と前記被写体の前記所定の部位の他のＸ線撮影画像とを関連付けてデータを格納する記憶手段と、
前記記憶手段に格納されているデータに所定の期間に取得された前記被写体の前記所定の部位の第二のＸ線撮影画像が含まれる場合には、前記第一のＸ線撮影画像と該第二のＸ線撮影画像とを並べて表示手段に表示させ、該データに該第二のＸ線撮影画像が含まれず且つ該所定の期間以外に取得された該被写体の該所定の部位の第三のＸ線撮影画像が含まれる場合には、該第一のＸ線撮影画像と、該データに該第二のＸ線撮影画像が含まれないことを示す表示形態と、該データに該第三のＸ線撮影画像が含まれることを示す表示形態とを該表示手段に表示させる制御手段と、
を有することを特徴とする情報処理システム。
【請求項２】
前記表示手段の表示方法を切り替えることを指示する切替指示手段を有し、
前記制御手段は、前記切替指示手段による指示に応じて前記記憶手段に格納されているデータに前記第三のＸ線撮影画像が含まれることを示す表示形態から前記第三のＸ線撮影画像に前記表示手段の表示を切り替えることを特徴とする請求項１に記載の情報処理システム。
【請求項３】
前記第一乃至第三のＸ線撮影画像の撮影日に基づいて該第一乃至第三のＸ線撮影画像それぞれに序数を設定する序数設定手段と、
前記序数に基づいて前記データ読取手段で読み取ったデータに前記第二及び第三のＸ線撮影画像が含まれるか否かを判別する判別手段と、を有し、
前記制御手段は、前記判別手段の判別結果に基づいて、前記第二のＸ線撮影画像と、前記記憶手段に格納されているデータに前記第三のＸ線撮影画像があることを示す表示形態とのうちいずれか一方を前記表示手段に表示させることを特徴とする請求項１または２に記載の情報処理システム。
【請求項４】
前記記憶手段は、前記可搬記録媒体が第一の可搬記録媒体であり、該第一の可搬記録媒体より最大記録容量の少ない第二の可搬記録媒体１個の最大記録容量以下の最大記録容量であるフォルダを複数含み、前記データ読取手段で読み取ったデータを該フォルダ毎に格納し、
前記記憶手段のフォルダ毎に格納されたデータを該フォルダ単位で各第二の可搬記録媒体に記録するデータ記録手段を有することを特徴とする請求項１乃至３のいずれか１項に記載の情報処理システム。
【請求項５】
前記第二及び第三のＸ線撮影画像は、前記第一のＸ線撮影画像を含むデータが記録された第二の可搬記録媒体とは別の第二の可搬記録媒体に記録されたデータに含まれることを特徴とする請求項４に記載の情報処理システム。
【請求項６】
前記記憶手段が前記データ読取手段で読み取ったデータを前記フォルダ毎に格納した場合、前記第一の可搬記録媒体に第一の複製済みフラグを設定する第一の設定手段と、
前記データ記録手段が前記記憶手段のフォルダ毎に格納されたデータを該フォルダ単位で各第二の可搬記録媒体に記録した場合、該フォルダ毎に第二の複製済みフラグを設定する第二の設定手段と、
を有することを特徴とする請求項４または５に記載の情報処理システム。
【請求項７】
前記制御手段は、前記データ記録手段が前記第二の複製済みフラグが設定されていない前記記憶手段のフォルダのデータを前記第二の可搬記録媒体に記録すると、前記記憶手段のフォルダを消去する警告を前記表示手段に表示させることを特徴とする請求項６に記載の情報処理システム。
【請求項８】
前記データ記録手段が前記第二の複製済みフラグが設定されていない前記記憶手段のフォルダのデータを前記第二の可搬記録媒体に記録すると、前記第一の複製済みフラグが設定されている第一の可搬記録媒体のデータを自動的に消去する消去手段を有することを特徴とする請求項６に記載の情報処理システム。
【請求項９】
前記記憶手段の容量が不足すると、前記第二の複製済みフラグが設定されている前記記憶手段のフォルダのデータを自動的に消去する消去手段を有することを特徴とする請求項６に記載の情報処理システム。
【請求項１０】
診断の完了を指示する診断完了指示手段と、
前記診断完了指示手段により診断の完了が指示された前記記憶手段のフォルダに複製許可フラグを設定する第三の設定手段と、を有し、
前記データ記録手段が、前記複製許可フラグが設定されているフォルダのデータを前記第二の可搬記録媒体に記録することを特徴とする請求項６に記載の情報処理システム。
【請求項１１】
前記第一の可搬記録媒体はＭＯであり、
前記記憶手段はハードディスクであり、
前記第二の可搬記録媒体はＣＤであることを特徴とする請求項４乃至１０のいずれか１項に記載の情報処理システム。
【発明の詳細な説明】
【０００１】
【発明の属する技術分野】
本発明は、あるタイプの記録媒体に記録された情報を他のタイプの記録媒体に複製する処理に関し、特に、複数の可搬記録媒体の情報を、一度コンピュータ内のハードディスクヘと格納した後、再び他の可搬記録媒体へと情報を複製する処理に関するものである。
【０００２】
【従来の技術】
近年のコンピュータの発展に伴い、医用分野においてもコンピュータ化が浸透してきた。画像診断の分野においてもこの流れが急であり、各種ＣＴや超音波診断機器、ラジオアイソトープを用いた診断機器などの普及には目をみはるものがある。また、固体撮像素子等を用いたＸ線撮影が開発されてきており、Ｘ線画像においてもコンピュータを用いたＸ線デジタル画像読取撮影が徐々に始まってきている。
【０００３】
集団検診システムでも例外ではない。従来は、ロールフィルムと呼ばれるフィルムに１０ｃｍ×１０ｃｍ程度の胸部画像をＸ線間接撮影装置を用いて撮影しており、読影者は、ロールフィルムをレンズで拡大して、順次電動こま送り装置を用いて読影している。
【０００４】
この集団検診においてもデジタル化の波が徐々に始まり、医師の行う読影においてもモニタを用いて読影をすることが徐々に始まってきている。
【０００５】
ところが、集団検診、特にバス搭載の集団検診システムにおいては、撮影した画像は一度、可搬記録媒体に書き込んで、検診センタヘ持ち帰り、画像を診断している。
【０００６】
【発明の解決しようとする課題】
現在の技術では、可搬媒体としてビット単価の安いＣＤ−Ｒは、書き込み時のスピードが遅く、検診業務先のバス内で書き込みを行うには時間がかかりすぎるという問題が有る。
【０００７】
また、画像を用いて高速に診断していく場合においては、可搬記録媒体から読み出すには読み出しスピードが遅いという問題も有る。
【０００８】
また、この検診のような場合に、記録媒体から記録媒体ヘデータを複製し、複製された後に複製元のデータを間違いなく消去することが求められている。
【０００９】
本発明は、このような状況のもとでなされたもので、最大記憶容量（メディアサイズともいう）の異なる記録媒体間での複製を容易かつ確実に行うことのできる情報処理システムを提供することを目的とする。
【００１０】
【課題を解決するための手段】
前述の理由で、検診業務先のバス内で、書き込みスピードの高速な光磁気ディスクであるＭＯに一度入力した後、検診センタにてＣＤ−Ｒへと情報を複製する必要が有る。ところが、ＭＯとＣＤ−Ｒとは情報の最大記録容量が異なる。例えばＭＯは６４０ＭＢの容量なのに対して、ＣＤ−Ｒはおよそ５００ＭＢ程度しか記録できない。
【００１１】
一方、医師が画像を読影する際には、画像を読み出す必要が有るが、画像の読み出しにおいては、ＭＯからの読み出しより、さらに高速に読み出すことの可能な、診断システム内部ハードディスクからの読み出しの方が高速に画像を表示，診断に用いることが可能となる。
【００１２】
そこで、ＭＯの情報を一度内部ハードディスクヘ複製して、ＣＤ−Ｒへとさらに複製する必要が有る。その際、内部ハードディスクヘ、丁度ＣＤ−Ｒの容量と同じ容量になるように予め分類を行う。
【００１３】
このハードディスク内の画像を読み出しながら診断を行い、分類されたフォルダ内の画像を用いてすベての診断が終了したことをキーに内部ハードディスク内の分類フォルダに対して複製許可フラグを設定する。複製許可フラグが設定されている分類フォルダは、複製指示によってＣＤ−Ｒへと複製を行う。また、各分類フォルダの複製を完了したことを示す複製済みフラグを設定する。
【００１４】
ここで、元のＭＯの内容を消去する際に、より確実な消去手法は、ＭＯ内の複製元データに相当するハードディスク内のデータに複製済みフラグがあれば、元のＭＯを消去するという手段である。また、複製済みフラグがあるものは自動削除される手段も存在する。この場合は、複製元ＭＯに複製済みフラグが設定されている場合のみＭＯの消去を行う。
【００１５】
また、ハードディスク内の各データを、その最新の作成日に所定の月日だけオフセットした日を基準日として所定の期間毎に区分し、モニタに、各期間に応じた位置に表示する。
【００１６】
すなわち、前記目的を達成するため、本発明では、情報処理システムを次の（１）ないし（１１）のとおりに構成する。
【００１７】
（１）可搬記録媒体から被写体の所定の部位の第一のＸ線撮影画像を含むデータを読み取るデータ読取手段と、
前記第一のＸ線撮影画像と前記被写体の前記所定の部位の他のＸ線撮影画像とを関連付けてデータを格納する記憶手段と、
前記記憶手段に格納されているデータに所定の期間に取得された前記被写体の前記所定の部位の第二のＸ線撮影画像が含まれる場合には、前記第一のＸ線撮影画像と該第二のＸ線撮影画像とを並べて表示手段に表示させ、該データに該第二のＸ線撮影画像が含まれず且つ該所定の期間以外に取得された該被写体の該所定の部位の第三のＸ線撮影画像が含まれる場合には、該第一のＸ線撮影画像と、該データに該第二のＸ線撮影画像が含まれないことを示す表示形態と、該データに該第三のＸ線撮影画像が含まれることを示す表示形態とを該表示手段に表示させる制御手段と、
を有することを特徴とする情報処理システム。
（２）前記表示手段の表示方法を切り替えることを指示する切替指示手段を有し、
前記制御手段は、前記切替指示手段による指示に応じて前記記憶手段に格納されているデータに前記第三のＸ線撮影画像が含まれることを示す表示形態から前記第三のＸ線撮影画像に前記表示手段の表示を切り替えることを特徴とする前記（１）に記載の情報処理システム。
（３）前記第一乃至第三のＸ線撮影画像の撮影日に基づいて該第一乃至第三のＸ線撮影画像それぞれに序数を設定する序数設定手段と、
前記序数に基づいて前記データ読取手段で読み取ったデータに前記第二及び第三のＸ線撮影画像が含まれるか否かを判別する判別手段と、を有し、
前記制御手段は、前記判別手段の判別結果に基づいて、前記第二のＸ線撮影画像と、前記記憶手段に格納されているデータに前記第三のＸ線撮影画像があることを示す表示形態とのうちいずれか一方を前記表示手段に表示させることを特徴とする前記（１）または（２）に記載の情報処理システム。
（４）前記記憶手段は、前記可搬記録媒体が第一の可搬記録媒体であり、該第一の可搬記録媒体より最大記録容量の少ない第二の可搬記録媒体１個の最大記録容量以下の最大記録容量であるフォルダを複数含み、前記データ読取手段で読み取ったデータを該フォルダ毎に格納し、
前記記憶手段のフォルダ毎に格納されたデータを該フォルダ単位で各第二の可搬記録媒体に記録するデータ記録手段を有することを特徴とする前記（１）乃至（３）のいずれか１項に記載の情報処理システム。
（５）前記第二及び第三のＸ線撮影画像は、前記第一のＸ線撮影画像を含むデータが記録された第二の可搬記録媒体とは別の第二の可搬記録媒体に記録されたデータに含まれることを特徴とする前記（４）に記載の情報処理システム。
（６）前記記憶手段が前記データ読取手段で読み取ったデータを前記フォルダ毎に格納した場合、前記第一の可搬記録媒体に第一の複製済みフラグを設定する第一の設定手段と、
前記データ記録手段が前記記憶手段のフォルダ毎に格納されたデータを該フォルダ単位で各第二の可搬記録媒体に記録した場合、該フォルダ毎に第二の複製済みフラグを設定する第二の設定手段と、
を有することを特徴とする前記（４）または（５）に記載の情報処理システム。
（７）前記制御手段は、前記データ記録手段が前記第二の複製済みフラグが設定されていない前記記憶手段のフォルダのデータを前記第二の可搬記録媒体に記録すると、前記記憶手段のフォルダを消去する警告を前記表示手段に表示させることを特徴とする前記（６）に記載の情報処理システム。
（８）前記データ記録手段が前記第二の複製済みフラグが設定されていない前記記憶手段のフォルダのデータを前記第二の可搬記録媒体に記録すると、前記第一の複製済みフラグが設定されている第一の可搬記録媒体のデータを自動的に消去する消去手段を有することを特徴とする前記（６）に記載の情報処理システム。
（９）前記記憶手段の容量が不足すると、前記第二の複製済みフラグが設定されている前記記憶手段のフォルダのデータを自動的に消去する消去手段を有することを特徴とする前記（６）に記載の情報処理システム。
（１０）診断の完了を指示する診断完了指示手段と、
前記診断完了指示手段により診断の完了が指示された前記記憶手段のフォルダに複製許可フラグを設定する第三の設定手段と、を有し、
前記データ記録手段が、前記複製許可フラグが設定されているフォルダのデータを前記第二の可搬記録媒体に記録することを特徴とする前記（６）に記載の情報処理システム。
（１１）前記第一の可搬記録媒体はＭＯであり、
前記記憶手段はハードディスクであり、
前記第二の可搬記録媒体はＣＤであることを特徴とする前記（４）乃至（１０）のいずれか１項に記載の情報処理システム。
【００４０】
【発明の実施の形態】
以下本発明の実施の形態を集団検診システムの実施例により詳しく説明する。なお、本発明は，システムの形に限らず、実施例の説明に裏付けられて方法の形で実施することもできる。
【００４１】
【実施例】
図１は、実施例である“集団検診システム”の概念を示す図である。本システムの全体のワークフローは、操作者が撮影装置に付随する光磁気ディスク（以下ＭＯ）２に撮影画像データを書き込み、診断用ＷＳ（ワークステーション）３へと読み込ませるフローである。
【００４２】
即ち、診断用ＷＳ３は、付随するＭＯ読取装置２よりＭＯ１内の撮影画像データを内部ＨＤ（ハードディスク：請求項の不揮発性記憶手段に対応する）４へと複製する。また、検診を行う画像データの比較を行う為に、前回分の画像データ、これは既にＣＤ−Ｒ８に記録されているのであるが、このＣＤ−Ｒ８を付随するＣＤ−Ｒ読書装置５より読み込ませて前回の撮影画像データを内部ＨＤ４へと複製する。今回、前回の撮影画像データを診断用ＷＳ３を用いて内部ＨＤ４に記憶せしめた後、今回受診した受診者の今回画像，前回画像をマッチング処理して結びつけ、操作者、たとえば医師などは、診断用ＷＳ３にて今回画像，前回画像を同時に表示してモニタ診断を行う。診断が終了すると、内部ＨＤ４に溜まった今回画像をＣＤ−Ｒ９へと書き出すことで、全体のワークフローが終了する。
【００４３】
図２は、画像データの複製の例を示す図である。本実施例では、検診バスは、Ｃａｎｏｎ及びＨｉｔａｃｈｉへと検診業務を行ってきており、キヤノンにおいては２枚のＭＯ、また、日立においてはｌ枚のＭＯに画像が記録されている。画像は各被検者で２枚撮影を行っており、画像２枚一組で１データセットとなる。ＭＯの１枚目には、キヤノンデータの一部である「１９９８０７０１−Ｃａｎｏｎ−１」という名称を持つセットフォルダと呼ばれるデータセットを複数保持できるフォルダがある。このフォルダには６４０個のデータセットを持つ。また、ＭＯの２枚目には、キヤノンデータの一部である「１９９８０７０１−Ｃａｎｏｎ−２」という名称を持つセットフォルダが有り、このセットフォルダも６４０個のデータセットを持っている。さらに、ＭＯ３枚目には、日立データである「１９９８０７０３−Ｈｉｔａｃｈｉ−１」なるセットフォルダが有り、このセットフォルダには４００個のデータセットがある。各データセットは、１ＭＢのデータ容量であり、ＭＯにおいては６４０ＭＢまではいる為、キヤノンデータが６４０のデータセットが入っているゆえんである。さて、このＭＯを順次ＭＯ読取装置２にて診断用ＷＳ３の内部ＨＤ４へとデータ複製を行っていく。
【００４４】
ＨＤ４内部には、複製されたデータが容易にＣＤ−Ｒへと再び複製できるように、最大容量がＣＤ−Ｒの最大記憶容量以下に制限された分類フォルダと呼ばれるフォルダが生成される。この分類フォルダは診断用ＷＳ３がユニークに名称設定を行う。本実施例ではシーケンシヤル番号を文字Ｄの後に振っていく。本実施例では、分類フォルダの最大容量はＣＤ−Ｒの最大記憶容量以下に合わせて決められており、５００ＭＢとなっている。本実施例では、ＭＯに記録されている「１９９８０７０１−Ｃａｎｏｎ−１」、「１９９８０７０１−Ｃａｎｏｎ−２」のセットフォルダは、３つの分類フォルダ「Ｄ１２３１」，「Ｄ１２３２」，「Ｄ１２３３」に分割されそれぞれの分類フォルダに、互いに異なる名称である「１９９８０７０１−Ｃａｎｏｎ−１」，「１９９８０７０１−Ｃａｎｏｎ―２」，「１９９８０７０１−Ｃａｎｏｎ−３」と呼ばれるセットフォルダが生成され、「１９９８０７０−Ｃａｎｏｎ−１」には「検査０００１」から「検査０５００」までのデータセットが、「１９９８０７０１−Ｃａｎｏｎ−２」には「検査０５０１」から「検査１０００」までのデータセットが、「１９９８０７０１−Ｃａｎｏｎ―３」には「検査１００１」から「検査１３００」までのデータセットが、複製される。さらに、ＭＯに記録されている「１９９８０７０１−Ｈｉｔａｃｈ−１」のセットフォルダは、分類フォルダ「Ｄ１２３３」が２２０Ｍバイトほど余りが有る為に、分類フォルダ「Ｄ１２３３」へとまず２２０個のデータセットが複製されて、残りのデータセットは同様な方法で分類フォルダ「Ｄ１２３４」が新規生成されて、ここに記録される。
【００４５】
図３は、前述のデータ複製の処理を示すフローチャートである。今、簡単の為、ＭＯｌの複製を終り、ＭＯ２に関する複製を開始するとして説明を行う。Ｎｅｗフォルダ内には、Ｄ１２３１には既にＭＯｌの内容が複製されて、かつＦｕｌｌＦｌａｇが設定されており、またＤ１２３２にも、既にＭＯｌの内容が「検査６５０」まで複製されている。ただし、Ｄ１２３２は最大容量までデータを保持していない為、ＦｕｌｌＦｌａｇは設定されていない。ちなみに、ＦｕｌｌＦｌａｇは、本実施例では、分類フォルダ内にＦｕｌ１．ｄａｔなる中身の無いファイルがあるかいなかで決めている。また、診断済を示すＤｉａｇｎｏｓｉｓＦｌａｇ（請求項の複製許可フラグに対応する）は、Ｄｉａｇ．ｄａｔ、またＣＤ−Ｒへの複製済みを示すＣＤ−ＷｒｉｔｔｅｎＦｌａｇ（請求項の第二の複製済みフラグに対応する）は、Ｗｒｉｔｔｅｎ．ｄａｔの存在のあるなしで決定している。
【００４６】
ステップ３０１（図ではＳ３０１と表記する、以下同様）において、ＭＯディスク内の検索の結果、
ＤＡＴＥ＝１９９８０７０１
ＮＡＭＥ＝Ｃａｎｏｎ
ＮＵＭ＝２
であり、ＨＤのＮｅｗフォルダ検索の結果、
ｎ＿ｅｎｄ＝１２３２
となる。
【００４７】
ステップ３０２において、Ｎｅｗフォルダ内の全分類フォルダ、即ちＤ１２３１，Ｄ１２３２内の、「ＤＡＴＥ−ＮＡＭＥ−ｎｕｍ」形式のセットフォルダ、ここでは、「１９９８０７０１−Ｃａｎｏｎ」で始まるセットフォルダを調べると、ｎｕｍの値がもっとも大きいものは、２である。すなわち、
ｎ＿ｎａｍｅ＝２
となる。
【００４８】
ステップ３０３において、分類フォルダＤｎ＿ｅｎｄすなわち、Ｄ１２３２をＮｅｗフォルダから検索する。Ｄ１２３２は存在するので、検索される。ちなみに、ここで、分類フォルダがハードディスクに全く無い場合を想定すると、ステップ３０１がｎ＿ｅｎｄ値を００００に設定するので、Ｄ００００を検索することになり、ステップ３０４にて、Ｄ０００ｌを新規作成することになる。
【００４９】
ステップ３０５において、分類フォルダＤ１２３２は、ＦｕｌｌＦｌａｇもしくはＤｉａｇｎｏｓｉｓＦｌａｇが設定されていないので、Ｄ１２３２フォルダ内にて「ＤＡＴＥ−ＮＡＭＥ−ｎ＿ｎａｍｅ」のフォルダ、ここでは「１９９８０７０１−Ｃａｎｏｎ−２」のフォルダを検索する。Ｄ１２３２では、ＭＯｌから複製を行ったときに出来たこの名前のフォルダが存在する為、検索は成功する。
【００５０】
ステップ３０７において、ＭＯ２内の「１９９８０７０１−Ｃａｎｏｎ―２」の内部のデータセットである検査フォルダを検査番号の若い方からＨＤ４内のＮｅｗフォルダ内の「Ｄ１２３２」フォルダ内の分類フォルダ「１９９８０７０１−Ｃａｍｏｎ−２」へ、分類フォルダの容量が５００ＭＢとなるまで複製する。したがって、「検査６５１」から「検査１０００」までが分類フォルダ「Ｄ１２３２」へ保存される。
【００５１】
ステップ３０８において、コピー元のＭＯ２内の「１９９８０７０１−Ｃａｎｏｎ−２」の内部のデータセットである検査フォルダ群はすべて複製出来ていないのでＮＯへ進む。
【００５２】
ステップ３０９において、分類フォルダ「Ｄ１２３２」は、データを最大容量まで保持したので、ＦｕｌｌＦｌａｇを設定する。
【００５３】
ステップ３１０において、コピー元のＭＯ２内の「１９９８０７０１−Ｃａｎｏｎ２」の未コピー検査としては、「検査１００１」から「検査１３００」までであるので、それを対象に複製作業を再び開始することとする。
【００５４】
ステップ３０４に戻り、ｎ＿ｅｎｄとしては１２３２の値を保持しているので１を加えて、分類フォルダ「Ｄ１２３３」を新規作成する。またｎ＿ｎａｍｅとしては２の値を保持しているので、１を加えて、セットフォルダ「１９９８０７０１−Ｃａｎｏｎ−３」を新規作成した後、ステップ３０７に示す処理に戻る。
【００５５】
ＭＯからの複製をすべて終了したときに、丁度複製先の分類フォルダも容量一杯となった場合は、次のＭＯの複製は、ステップ３０５においてＦｕｌｌＦｌａｇが設定されていることになるので、ステップ３０４の作業に移行する。
【００５６】
このようにＮｅｗフォルダに移動されたＣａｎｏｎの１３００検査分の画像と、Ｈｉｔａｃｈの４００検査分の画像は、すべての検査の読影を終了すると、それぞれの分類フォルダ内にＤｉａｇｎｏｓｉｓＦｌａｇを設定する。診断する際のシステム挙動は以下にさらに詳しく述べるが、診断完了はこの設定が存在することで、読影完了したとみなす。
【００５７】
診断が完了すると、操作者の指示により、システムはＮｅｗフォルダ内部の分類フォルダを検索して、ＤｉａｇｎｏｓｉｓＦｌａｇが設定されている分頼フォルダを、ＣＤ−Ｒメディアヘ複製する。この時、分類フォルダはＣＤ−Ｒメディアが許容できる容量の５００ＭＢとなっている為に、分類フォルダ単位で複製できるので、複製しきれないという問題は発生しないということが重要である。また、複製を完了すると、その分類フォルダにＣＤ−ＷｒｉｔｔｅｎＦｌａｇを設定する。
【００５８】
図３において、ステップ３１１にて、複製が完了したとき、複製元のＭＯ２内の「１９９８０７０１−Ｃａｎｏｎ−２」にはＣｏｐｉｅｄＦｌａｇ（請求項の第一の複製済みフラグに対応する）を立て、処理を終了する。
【００５９】
さて、複製元のＭＯ１に記録されている情報は、確実にＣＤ−Ｒ７に記録された場合にのみ、ＭＯ１の記録内容を消去する手段を設けることが重要である。これが行われないと、利用者が、誤って画像データを診断用ＷＳ３に複製せずに消去されてしまう可能性が有る。
【００６０】
図４は、誤ってＭＯのデータを消去することがないようにする処理を行うフローチャートである。ここでは説明を簡単にする為に、図２のＭＯ１を消去する例により説明する。
【００６１】
ステップ４０１において、ＭＯ１ディスク内のフォルダを検索すると、１９９８０７０１−Ｃａｎｏｎ−１が検索される。
【００６２】
ステップ４０２において、検索対象は、Ｎｅｗフォルダ内部の、１９９８０７０１−Ｃａｎｏｎで始まるフォルダである。このフォルダは、Ｄ１２３１，Ｄ１２３２，Ｄ１２３３内に存在するので、これら３つのセットフォルダに関して、ＣＤ−Ｗｒｉｔｔｅｎフラグが設定されているか確認する。
【００６３】
ステップ４０３において、１９９８０７０１−Ｃａｎｏｎで始まるフォルダが全く見当たらない場合は、後に説明する自動削除機能が働いたためであるので、ステップ４０５へ進む。
【００６４】
ステップ４０４においては、１９９８０７０１−Ｃａｎｏｎで始まるフォルダが存在したときに進み、全てのＣＤ―Ｗｒｉｔｔｅｎフラグが設定されていれば、ステップ４０６へ進む。  ＣＤ−Ｗｒｉｔｔｅｎフラグが設定されていない場合は、まだＣＤ書き込みが行われていない為、まずＣＤ−Ｒにデータを複製することをユーザに知らせ、ＭＯディスクの消去は行わない。
【００６５】
ステップ４０５においては、ステップ４０３より来たときに重要なチェックをする。すなわち、記録媒体の容量が不足すると自動的に削除する自動削除機能が働いた場合、Ｎｅｗフォルダには、複製元のデータは見当たらないので、複製元であるＭＯのセットフォルダにあるＣｏｐｉｅｄＦｌａｇの設定をチェックする。この設定がなされていない場合は、未だ診断用ＷＳ３へはデータ複製作業が行われていない為、ＭＯディスク内のデータは新規検査データであるため、ディスク内データを消去することはない。ステップ４０６においては、ＭＯディスク内データを消去する。
【００６６】
このようにして、ＭＯディスクのデータをを安全に消去できる。
【００６７】
前述のデータ複製手法を用いて、新たなデータはＭＯよりＮｅｗフォルダヘ、古いデータはＣＤ−Ｒで０１ｄフォルダヘ複製される。
【００６８】
本診断システムにおいては、今回撮影した画像を過去画像と同時にモニタに表示して比較診断することに特徴が有る。その為、今回検査された受診者と同じ受診者の検査を過去の検査から検索する。この方法は、全ての今回の検査データが持つ受診者ＩＤと同じＩＤを持つ過去の検査データを探すことで完了する。例えば、本実施例では、今回検査データに対して過去データとして、前回検査データ、前々回検査データの２データまでさかのぼって参照するシステムなのであるが、この場合、同じ受診者の過去データに対しての検索の結果、ある受診者は０件見つかり、ある受診者は１件みつかり、ある受診者は２件見つかるケースが有る。これは、必ずしも同じ受診者が毎回検査を受けていないケースが考えられる為である。
【００６９】
この様なケースが存在する場合において、今回の検査画像と過去の内、最も最近の検査画像を診断用ＷＳ３のモニタにおいて一律に左右に並べて表示すると、読影する医師は、比較対照として１回前のデータを見ているのか、それとも２回前のデータを見ているのか瞬時に判定できなくなる。
【００７０】
例えば、今回を９８年、前回を９７年の検査とすると、両方検査を行った受診者は、図７の様に、表示できるが、一部受診者では９７年の検査が無いとすると、右側には例えば９６年の検査画像が表示されてしまう。これは忙しく参照していると医師にとっては、誤って前回検査として比較読影してしまう。そこで、何回前のデータなのかを指定する必要が有る。
【００７１】
本実施例においては、検査が比較的定期的に行われることに注目し、範囲設定をすることで、過去画像が何回昔の検査なのかを決定することが特徴であるので、以下その説明を行う。ここで、何回昔の検査なのかを示す序数を、検査序数とよび、１ならば１回前の検査であるということとする。
【００７２】
図５に検査序数決定の概念を示す。
【００７３】
今回の検査を本実施例では１９９８年７月１０日に行ったものとする。その時、オフセット日数として６ヶ月を指定し、検査期間を１２ヶ月として指定すると、
１９９８年１月１０日より前の検査であり、１９９７年１月１０日以降の検査を検査序数１、
１９９７年１月１０日より前の検査であり、１９９６年１月１０日以降の検査を検査序数２、
として、予め指定された最大序数まで検査をする。
【００７４】
図６は検査序数決定の処理を示すフローチャートである。ここで、まず、本実施例では図２の様にＯｌｄフォルダに入っている過去画像は、今回の画像と関連付けが行われており、今回の検査と前回までの検査群は関連付けが行われている。
【００７５】
そこで、前回までの検査群を一つ一つ、検査序数を設定していく作業が必要となる。そこで、まず前回までの検査群のうち、一つ目を対象に、図６のフローチヤートを通す。
【００７６】
まず、ベース検査日の設定を行う。これにおいては、図２の様に、本実施例で今、Ｎｅｗフォルダ内の全ての分類フォルダのＣａｎｏｎに関するセットフォルダに関してのみ、検査を行うとする。
【００７７】
この時、ベース検査日は、セットフォルダ名より１９９８年７月１日となる。ところが、Ｃａｎｏｎに関する検査が数日に別れてしまった場合は、本実施例では２通りのベース検査日の指定が可能となっている。一つは、Ｃａｎｏｎに関する検査数の最も多い検査日をベース検査日とする場合と、他方は、Ｃａｎｏｎに関する検査で最も古い検査日をベース検査日とする場合である。このベース検査日はフローチャートに入る前に予め設定されている。
【００７８】
次にＯｆｆｓｅｔの指定とＮ＝０を行う。
【００７９】
次に検査期間Ｙの設定を行う。そして、ベース検査日からさかのぼって（Ｎ×Ｙ＋ｏｆｆｓｅｔ）月より昔で（Ｎ＋１）×Ｙ＋ｏｆｒｓｅｔ月以後かにより、チェックする。
【００８０】
その間に、今調べている検査が入っていた場合は、ＴＲＵＥとなり、Ｎがこの検査に対する序数となり、Ｎ回昔の検査となる。
【００８１】
ＴＲＵＥでない場合は、Ｎが最大値となるまでループが進む。実際は最大値は９９９などと現実的でない値を設定してある。
【００８２】
前述の様にして、特定の受診者が持つ過去の検査群の全てに対して検査序数が設定される。この設定は、ある受診者の持つ画像をモニタ表示する時に直前に行われても良いし、検査を始める前に予め全ての今回の検査に対して行っておいても良い。
【００８３】
さて、前述のように特定の受診者が持つ過去の検査群の全てに対して検査序数が設定されると、その検査画像表示において特徴有る表示を行うことが可能となる。
【００８４】
即ち、従来では、例えば、今回を９８年、前回を９７年の検査とすると、両方検査を行った受診者は、図７の様に、表示できるが、一部受診者では９７年の検査が無いとすると、右側には例えば９６年の検査画像が表示されてしまう。これは忙しく参照していると医師にとっては、誤って毎回検査として比較読影してしまう。
【００８５】
しかし、前述の説明で、検査序数を設定できる為、さて、前述のように特定の受診者が持つ過去の検査群の全てに対して検査序数が設定されると、その検査画像表示において特徴有る表示を行うことが可能となる。
【００８６】
図８は、その例を示している。受診者である「辻井修」氏の検査は、９８年と、９６年と、９５年と、９２年に受診して検査されたとする。この時、図８の左側の例は、モニタ領域を左右２つに分け、左側を９８年用、右側を９７年用として利用する。この際に、９７年には画像が受信されていない為、９７年は「画像無し」と表示される。この結果、医師は９７年には撮影が無かったことが正しく分かる。ただし、この受診者はさらなる過去画像が存在するので、モニタ右上に「未表示画像有マーク」を示している。
【００８７】
ユーザが画像表示方法切り替え指示をキーボードより行うと、図８の右側の様に表示される。この表示方法は、先の説明で「画像無し」と表示される部分に、さらに昔の検査で、かつ最も新しい検査を入れる。すなわち、この例では９６年の検査画像を入れる。この時、医師が、９７年の画像であると誤らない為に大きな文字で「９６」と表示する必要が有る。
【００８８】
同様の説明は、図９についても行える。これは、モニタを４分割し、先ほどの受診者の画像を２つのモードで示したものである。
【００８９】
なお、モニタ面は複数のモニタに別れていてもなんら差し障りが無い。
【００９０】
以上説明したように、本実施例によれば、ビット単価の高いＭＯの内容を、ビット単価の安いＣＤ−Ｒへと確実に移すことができる。
【００９１】
また、格納された画像を読み出して診断するという行為により、一度システム内部のハードディスクヘ整理して、その後ＣＤ−Ｒへ複製することができる。
【００９２】
また、診断を終了した分類フォルダに関しては、複製許可フラグを設定するので、ハードディスク上で、分類・整理された状態での分類フォルダのみＣＤ−Ｒに書き込むことができる。
【００９３】
また、ＣＤ−Ｒに書かれた分類フォルダは、書き込み完了の際に、複製済みフラグが設定されるので、再び同じデータをＣＤ−Ｒへと書き込むことは起こらない。
【００９４】
また、ＭＯからＣＤ−Ｒヘデータを確実に複製し、複製された後に複製元のＭＯデータを消去することが可能となり、よりデータを保護した検診システムの運用を図ることができる。
【００９５】
【発明の効果】
以上説明したように、本発明によれば、最大記憶容量の異なる記録媒体間での複製を容易かつ確実に行うことができる。
【図面の簡単な説明】
【図１】  実施例の概念を示す図
【図２】  画像データの複製の例を示す図
【図３】  データ複製の処理を示すフローチャート
【図４】  ＭＯデータ消去の処理を示すフローチャート
【図５】  検査序数決定の概念を示す図
【図６】  検査序数決定の処理を示すフローチャート
【図７】  従来の今回，前回検査表示方法を示す図
【図８】  今回，前回検査表示方法１を示す図
【図９】  今回，前回検査表示方法２を示す図
【符号の説明】
１  ＭＯ
２  ＭＯ読取装置
３  診断用ＷＳ
４  内部ＨＤ
７  ＣＤ−Ｒ
【図１】
0004785273.tif 000002
【図２】
0004785273.tif 000003
【図３】
0004785273.tif 000004
【図４】
0004785273.tif 000005
【図５】
0004785273.tif 000006
【図６】
0004785273.tif 000007
【図７】
0004785273.tif 000008
【図８】
0004785273.tif 000009
【図９】
0004785273.tif 000010